(57)【要約】【課題】印刷物に掲載される情報に対し印刷物毎に独自の番号体系をとることで、番号を永続的に保持することをなくし、番号付与の自由度、刊行号毎の番号に価値を持たせることを可能とする印刷物を編集する印刷物編集システムを提供すること。【解決手段】掲載可能コンテンツ情報を作成する掲載可能コンテンツ情報作成部１３１０と、印刷物に掲載するコンテンツを選択した、掲載コンテンツ情報を作成する掲載コンテンツ情報作成部１３２０と、コンテンツ識別子情報を作成するコンテンツ識別子情報作成部１３３０と、掲載コンテンツ情報と、コンテンツ識別子情報とに基いて、掲載コンテンツリストを作成する掲載コンテンツリスト作成部１３５０と、掲載コンテンツリストに基いて、コンテンツ情報と、印刷物特定情報と、コンテンツ識別子情報とを掲載した印刷物１００を作成する。【選択図】      図１
2004234314.tif 000002
【特許請求の範囲】
【請求項１】
コンテンツを提供するコンテンツサイトのコンピュータネットワーク上の存在位置を示すサイト指定情報及び前記コンテンツの内容を示すコンテンツ情報と、を記憶するコンテンツ管理情報記憶手段と、
前記コンテンツ管理情報記憶手段に記憶されたコンテンツ情報と、該コンテンツ情報のサイト指定情報と、印刷物毎に付与される印刷物特定情報とから掲載可能コンテンツ情報を作成する掲載可能コンテンツ情報作成手段と、
前記掲載可能コンテンツ情報のうち、印刷物に掲載するコンテンツを選択した、掲載コンテンツ情報を作成する掲載コンテンツ情報作成手段と、
前記コンテンツに対し、印刷物の発行毎に付与されるコンテンツ識別子を決定しコンテンツ識別子情報を作成するコンテンツ識別子情報作成手段と、
前記印刷物特定情報と、前記コンテンツ識別子情報とを、前記サイト指定情報に変換する情報変換手段と、
前記掲載コンテンツ情報と、前記コンテンツ識別子情報とに基いて、掲載コンテンツリストを作成する掲載コンテンツリスト作成手段と、
前記掲載コンテンツリストに基いて、前記コンテンツが有するコンテンツ情報と、印刷物特定情報と、コンテンツ識別子情報とを掲載した印刷物を作成する印刷物作成手段と、を有することを特徴とする印刷物編集システム。
【請求項２】
請求項１記載の印刷物編集システムにおいて、
前記印刷物特定情報が、印刷物名及び発行号数であることを特徴とする印刷物編集システム。
【請求項３】
請求項１または請求項２に記載の印刷物編集システムにおいて、
前記コンテンツ識別子情報が、発行毎に付与される掲載ナンバーであることを特徴とする印刷物編集システム。
【請求項４】
請求項１〜請求項３のいずれか１項に記載の印刷物編集システムにおいて、
印刷物に優先して掲載する優先掲載コンテンツを記憶する優先掲載コンテンツ管理記憶手段を有し、
前記掲載可能コンテンツ情報作成手段が、前記優先掲載コンテンツを前記掲載可能コンテンツ情報に付加することを特徴とする印刷物編集システム。
【請求項５】
請求項１〜請求項４のいずれか１項に記載の印刷物編集システムにおいて、
前記コンテンツ情報が有効期限を有していることを特徴とする印刷物編集システム。
【請求項６】
請求項１〜請求項５のいずれか１項に記載の印刷物編集システムにおいて、
前記印刷物作成手段が、印刷物が設置される印刷物設置位置情報を印刷物に掲載し、
利用者の利用者端末から前記印刷物特定情報、前記コンテンツ識別子情報および前記印刷物設置位置情報が入力されることによるコンテンツサイトへのアクセス要求を受信する受信手段と、
前記受信手段が受信したアクセス要求を利用者アクセス情報として記憶するアクセス情報記憶手段と、を有することを特徴とする印刷物編集システム。
【請求項７】
請求項６に記載の印刷物編集システムにおいて、
前記印刷物作成手段が、前記印刷物特定情報と、前記印刷物設置位置情報と、を二次元コードもしくはＩＣタグにて表わし、印刷物に掲載するとともに、
前記情報変換手段は、前記二次元コードもしくはＩＣタグと、前記コンテンツ識別子情報と、をサイト指定情報に変換することを特徴とする印刷物編集システム。
【請求項８】
請求項７に記載の印刷物編集システムにおいて、
前記印刷物作成手段が、前記二次元コードもしくはＩＣタグをシールとして印刷することを特徴とする印刷物編集システム。
【請求項９】
コンテンツを提供するコンテンツサイトのコンピュータネットワーク上の存在位置を示すサイト指定情報及び前記コンテンツの内容を示すコンテンツ情報と、を記憶するコンテンツ管理情報記憶ステップと、
前記コンテンツ管理情報記憶ステップに記憶されたコンテンツ情報と、該コンテンツ情報のサイト指定情報と、印刷物毎に付与される印刷物特定情報とから掲載可能コンテンツ情報を作成する掲載可能コンテンツ情報作成ステップと、
前記掲載可能コンテンツ情報のうち、印刷物に掲載するコンテンツを選択した、掲載コンテンツ情報を作成する掲載コンテンツ情報作成ステップと、
前記コンテンツに対し、印刷物の発行毎に付与されるコンテンツ識別子を決定しコンテンツ識別子情報を作成するコンテンツ識別子情報作成ステップと、
前記印刷物特定情報と、前記コンテンツ識別子情報とを、前記サイト指定情報に変換する情報変換ステップと、
前記掲載コンテンツ情報と、前記コンテンツ識別子情報とに基いて、掲載コンテンツリストを作成する掲載コンテンツリスト作成ステップと、
前記掲載コンテンツリストに基いて、前記コンテンツが有するコンテンツ情報と、印刷物特定情報と、コンテンツ識別子情報とを掲載した印刷物を作成する印刷物作成ステップと、を有することを特徴とする印刷物編集方法。
【請求項１０】
請求項９記載の印刷物編集方法において、
前記印刷物特定情報が、印刷物名及び発行号数であることを特徴とする印刷物編集方法。
【請求項１１】
請求項９または請求項１０に記載の印刷物編集方法において、
前記コンテンツ識別子情報が、発行毎に付与される掲載ナンバーであることを特徴とする印刷物編集方法。
【請求項１２】
請求項９〜請求項１１のいずれか１項に記載の印刷物編集方法において、
印刷物に優先して掲載する優先掲載コンテンツを記憶する優先掲載コンテンツ管理記憶ステップを有し、
前記掲載可能コンテンツ情報作成ステップが、前記優先掲載コンテンツを前記掲載可能コンテンツ情報に付加することを特徴とする印刷物編集方法。
【請求項１３】
請求項９〜請求項１２のいずれか１項に記載の印刷物編集方法において、
前記コンテンツ情報が有効期限を有していることを特徴とする印刷物編集方法。
【請求項１４】
請求項９〜請求項１３のいずれか１項に記載の印刷物編集方法において、
前記印刷物作成ステップが、印刷物が設置される印刷物設置位置情報を印刷物に掲載し、
利用者の利用者端末から前記印刷物特定情報、前記コンテンツ識別子情報および前記印刷物設置位置情報が入力されることによるコンテンツサイトへのアクセス要求を受信する受信ステップと、
前記受信ステップが受信したアクセス要求を利用者アクセス情報として記憶するアクセス情報記憶ステップと、を有することを特徴とする印刷物編集方法。
【請求項１５】
請求項１４に記載の印刷物編集方法において、
前記印刷物作成ステップが、前記印刷物特定情報と、前記印刷物設置位置情報と、を二次元コードもしくはＩＣタグにて表わし、印刷物に掲載するとともに、前記情報変換ステップは、前記二次元コードもしくはＩＣタグと、前記コンテンツ識別子情報と、をサイト指定情報に変換することを特徴とする印刷物編集方法。
【請求項１６】
請求項１５に記載の印刷物編集方法において、
前記印刷物作成手段が、前記二次元コードもしくはＩＣタグをシールとして印刷することを特徴とする印刷物編集方法。
【請求項１７】
コンテンツを提供するコンテンツサイトのコンピュータネットワーク上の存在位置を示すサイト指定情報及び前記コンテンツの内容を示すコンテンツ情報と、を記憶するコンテンツ管理情報記憶ステップと、
前記コンテンツ管理情報記憶ステップに記憶されたコンテンツ情報と、該コンテンツ情報のサイト指定情報と、印刷物毎に付与される印刷物特定情報とから掲載可能コンテンツ情報を作成する掲載可能コンテンツ情報作成ステップと、
前記掲載可能コンテンツ情報のうち、印刷物に掲載するコンテンツを選択した、掲載コンテンツ情報を作成する掲載コンテンツ情報作成ステップと、
前記コンテンツに対し、印刷物の発行毎に付与されるコンテンツ識別子を決定しコンテンツ識別子情報を作成するコンテンツ識別子情報作成ステップと、
前記印刷物特定情報と、前記コンテンツ識別子情報とを、前記サイト指定情報に変換する情報変換ステップと、
前記掲載コンテンツ情報と、前記コンテンツ識別子情報とに基いて、掲載コンテンツリストを作成する掲載コンテンツリスト作成ステップと、
前記掲載コンテンツリストに基いて、前記コンテンツが有するコンテンツ情報と、印刷物特定情報と、コンテンツ識別子情報とを掲載した印刷物を作成する印刷物作成ステップと、を有することを特徴とする印刷物編集プログラム。
【請求項１８】
請求項１７記載の印刷物編集プログラムにおいて、
前記印刷物特定情報が、印刷物名及び発行号数であることを特徴とする印刷物編集プログラム。
【請求項１９】
請求項１７または請求項１８に記載の印刷物編集プログラムにおいて、
前記コンテンツ識別子情報が、発行毎に付与される掲載ナンバーであることを特徴とする印刷物編集プログラム。
【請求項２０】
請求項１７〜請求項１９のいずれか１項に記載の印刷物編集プログラムにおいて、
印刷物に優先して掲載する優先掲載コンテンツを記憶する優先掲載コンテンツ管理記憶ステップを有し、
前記掲載可能コンテンツ情報作成ステップが、前記優先掲載コンテンツを前記掲載可能コンテンツ情報に付加することを特徴とする印刷物編集プログラム。
【請求項２１】
請求項１７〜請求項２０のいずれか１項に記載の印刷物編集プログラムにおいて、
前記コンテンツ情報が有効期限を有していることを特徴とする印刷物編集プログラム。
【請求項２２】
請求項１７〜請求項２１のいずれか１項に記載の印刷物編集プログラムにおいて、
前記印刷物作成ステップが、印刷物が設置される印刷物設置位置情報を印刷物に掲載し、
利用者の利用者端末から前記印刷物特定情報、前記コンテンツ識別子情報および前記印刷物設置位置情報が入力されることによるコンテンツサイトへのアクセス要求を受信する受信ステップと、
前記受信ステップが受信したアクセス要求を利用者アクセス情報として記憶するアクセス情報記憶ステップと、を有することを特徴とする印刷物編集プログラム。
【請求項２３】
請求項２２に記載の印刷物編集プログラムにおいて、
前記印刷物作成ステップが、前記印刷物特定情報と、前記印刷物設置位置情報と、を二次元コードもしくはＩＣタグにて表わし、印刷物に掲載するとともに、前記情報変換ステップは、前記二次元コードもしくはＩＣタグと、前記コンテンツ識別子情報と、をサイト指定情報に変換することを特徴とする印刷物編集プログラム。
【請求項２４】
請求項２３に記載の印刷物編集プログラムにおいて、
前記印刷物作成手段が、前記二次元コードもしくはＩＣタグをシールとして印刷することを特徴とする印刷物編集プログラム。
【発明の詳細な説明】
【０００１】
【発明の属する技術分野】
本発明は、印刷物編集システムに係り、特に、ネットワーク上の情報と同期がとられた情報を有する印刷物を編集する印刷物編集システムに関する。
【０００２】
【従来の技術】
従来より、商品広告やその他情報誌の編集において、印刷物への掲載を所望する掲載企業が、掲載する内容を編集者に対してネットワークを介して送信し、該送信された内容に基づき編集者が印刷物の編集をして、該編集された印刷物を利用者に対し提供することは行われている。
【０００３】
なお、近年においては、インターネットの普及が進んだことから、利用者が本人の意思により印刷物に掲載された内容につき情報の取得を行う、双方向の宣伝活動が可能となったため、掲載企業はネットワーク上に企業ホームページや企業サイトを設けて、インターネットからアクセスできるようにしている。
【０００４】
ここで、不動産等の物件情報など多岐にわたる情報を掲載した印刷物を例に挙げて説明すると、不動産等の物件には物件番号という固定された番号が付与されるため、利用者に対し、ネットワークを介して情報を提供するときは、上記物件番号を利用者端末を用いて入力させ、もって該物件番号に該当する情報を提供することとしていた。
【０００５】
しかしながら、物件数が多くなるにつれて物件番号の桁数が非常に多くなり、利用者にとっては覚え難く、また入力しづらい番号であるから利用者端末からの入力に手間がかかり、情報の取得を容易に行えるものではないという問題があった。
【０００６】
この問題を解消するため、従来の情報編集方法においては、掲載される物件が有する郵便番号と住所の下位表示とを、利用者端末より入力させることにより、利用者が所望する物件を特定し、該物件の情報を提供している。
【０００７】
【特許文献１】
特開２００１−４３２３０号公報（第４−第５頁、第６図）
【０００８】
【発明が解決しようとする課題】
しかし、このような従来の情報編集方法においては、上記した物件番号を用いて情報の提供をする場合には、物件が増えるとその分桁数を増やすこととなり利用者に対し不便を強いることとなる。これに対し、郵便番号と住所の下位表示とを用いて情報の提供をする場合は、物件番号を用いるものに比べれば、入力する番号は比較的覚えやすいものであるが、郵便番号と住所の下位表示との組み合わせによっても、番号の桁数は少なくとも７桁以上にはなるから、利用者にとっては、入力に手間のかかるものであった。
【０００９】
また、その両者とも物件に対して付与される番号が固定番号であるため、編集者及び掲載社は永続的に番号を保持する必要があった。そして、このような永続的に保持される固定番号を印刷物に記載する場合、印刷物に記載する度にナンバーと内容の照合情報確認等の作業が必要になり、多くの物件を記載するような場合、およびナンバーが複雑な場合は特に、その作業が非常に困難な作業となっていた。
【００１０】
また、これら固定番号を用いて情報を提供しているため、編集者及び掲載社にとっては、週間、月間その他定期的に発行される新しい情報が掲載された情報誌の提供を利用者に対し所望しているにもかかわらず、利用者は以前の固定番号にてアクセスが可能となるため、情報誌の購買力の低下及び頒布性の低下が起こり、情報誌の発行部数等を減少させ、ひいては利用者が週間若しくは月間等、周期的に入手することができる新しい情報を得ることが困難になるという不具合があった。
【００１１】
また、物件番号を用いた場合、及び郵便番号、住所の下位表示を用いた場合のどちらもともに、番号の付与に際し、自由度がなく、例えば、今月の目玉物件などといった、掲載社が大々的に情報を提供したい物件は、情報への多数のアクセスを所望しているにもかかわらず、他の通常の情報と比して、利用者に対しアクセスを容易たらしめる要素を付加させることができないという不具合があった。
【００１２】
本発明はこのような問題を解決するためになされたもので、発行する印刷物において、掲載する物件の印刷物名及び発行号数を印刷物特定情報として提供するとともに、該発行号数毎に付与する自由に設定可能な掲載ナンバーをコンテンツ識別情報として提供し、利用者がコンテンツ識別情報である掲載ナンバーを入力するのみで、容易に所望する情報の取得を可能とさせるとともに、発行号毎に付与される掲載ナンバーにより独自の番号体系をとることで、同一物件であっても、刊行号毎に該物件を識別する番号が変更されるから、番号を永続的に保持する必要性もなくなり、あわせて番号付与の自由度、刊行号毎の番号に価値を持たせることを可能とする印刷物を編集する印刷物編集システムを提供することを課題とする。
【００１３】
【課題を解決するための手段】
請求項１記載の発明は、上記課題を解決するため、コンテンツを提供するコンテンツサイトのコンピュータネットワーク上の存在位置を示すサイト指定情報及び前記コンテンツの内容を示すコンテンツ情報と、を記憶するコンテンツ管理情報記憶手段と、前記コンテンツ管理情報記憶手段に記憶されたコンテンツ情報と、該コンテンツ情報のサイト指定情報と、印刷物毎に付与される印刷物特定情報とから掲載可能コンテンツ情報を作成する掲載可能コンテンツ情報作成手段と、前記掲載可能コンテンツ情報のうち、印刷物に掲載するコンテンツを選択した、掲載コンテンツ情報を作成する掲載コンテンツ情報作成手段と、前記コンテンツに対し、印刷物の発行毎に付与されるコンテンツ識別子を決定しコンテンツ識別子情報を作成するコンテンツ識別子情報作成手段と、前記印刷物特定情報と、前記コンテンツ識別子情報とを、前記サイト指定情報に変換する情報変換手段と、前記掲載コンテンツ情報と、前記コンテンツ識別子情報とに基いて、掲載コンテンツリストを作成する掲載コンテンツリスト作成手段と、前記掲載コンテンツリストに基いて、前記コンテンツが有するコンテンツ情報と、印刷物特定情報と、コンテンツ識別子情報とを掲載した印刷物を作成する印刷物作成手段と、を有することを特徴とするものである。
【００１４】
請求項２記載の発明は、上記課題を解決するため、請求項１記載の印刷物編集システムにおいて、前記印刷物特定情報が、印刷物名及び発行号数であることを特徴とするものである。
【００１５】
請求項３記載の発明は、上記課題を解決するため、請求項１または請求項２に記載の印刷物編集システムにおいて、前記コンテンツ識別子情報が、発行毎に付与される掲載ナンバーであることを特徴とするものである。
【００１６】
請求項４記載の発明は、上記課題を解決するため、請求項１〜請求項３のいずれか１項に記載の印刷物編集システムにおいて、印刷物に優先して掲載する優先掲載コンテンツを記憶する優先掲載コンテンツ管理記憶手段を有し、前記掲載可能コンテンツ情報作成手段が、前記優先掲載コンテンツを前記掲載可能コンテンツ情報に付加することを特徴とするものである。
【００１７】
請求項５記載の発明は、上記課題を解決するため、請求項１〜請求項４のいずれか１項に記載の印刷物編集システムにおいて、前記コンテンツ情報が有効期限を有していることを特徴とするものである。
【００１８】
請求項６記載の発明は、上記課題を解決するため、請求項１〜請求項５のいずれか１項に記載の印刷物編集システムにおいて、前記印刷物作成手段が、印刷物が設置される印刷物設置位置情報を印刷物に掲載し、利用者の利用者端末から前記印刷物特定情報、前記コンテンツ識別子情報および前記印刷物設置位置情報が入力されることによるコンテンツサイトへのアクセス要求を受信する受信手段と、前記受信手段が受信したアクセス要求を利用者アクセス情報として記憶するアクセス情報記憶手段と、を有することを特徴とするものである。
【００１９】
請求項７記載の発明は、上記課題を解決するため、請求項６に記載の印刷物編集システムにおいて、前記印刷物作成手段が、前記印刷物特定情報と、前記印刷物設置位置情報と、を二次元コードもしくはＩＣタグにて表わし、印刷物に掲載するとともに、前記情報変換手段は、前記二次元コードもしくはＩＣタグと、前記コンテンツ識別子情報と、をサイト指定情報に変換することを特徴とするものである。
【００２０】
請求項８記載の発明は、上記課題を解決するため、請求項７に記載の印刷物編集システムにおいて、前記印刷物作成手段が、前記二次元コードもしくはＩＣタグをシールとして印刷することを特徴とするものである。
【００２１】
請求項９記載の発明は、上記課題を解決するため、コンテンツを提供するコンテンツサイトのコンピュータネットワーク上の存在位置を示すサイト指定情報及び前記コンテンツの内容を示すコンテンツ情報と、を記憶するコンテンツ管理情報記憶ステップと、前記コンテンツ管理情報記憶ステップに記憶されたコンテンツ情報と、該コンテンツ情報のサイト指定情報と、印刷物毎に付与される印刷物特定情報とから掲載可能コンテンツ情報を作成する掲載可能コンテンツ情報作成ステップと、前記掲載可能コンテンツ情報のうち、印刷物に掲載するコンテンツを選択した、掲載コンテンツ情報を作成する掲載コンテンツ情報作成ステップと、前記コンテンツに対し、印刷物の発行毎に付与されるコンテンツ識別子を決定しコンテンツ識別子情報を作成するコンテンツ識別子情報作成ステップと、前記印刷物特定情報と、前記コンテンツ識別子情報とを、前記サイト指定情報に変換する情報変換ステップと、前記掲載コンテンツ情報と、前記コンテンツ識別子情報とに基いて、掲載コンテンツリストを作成する掲載コンテンツリスト作成ステップと、前記掲載コンテンツリストに基いて、前記コンテンツが有するコンテンツ情報と、印刷物特定情報と、コンテンツ識別子情報とを掲載した印刷物を作成する印刷物作成ステップと、を有することを特徴とするものである。
【００２２】
請求項１０記載の発明は、上記課題を解決するため、請求項９記載の印刷物編集方法において、前記印刷物特定情報が、印刷物名及び発行号数であることを特徴とするものである。
【００２３】
請求項１１記載の発明は、上記課題を解決するため、請求項９または請求項１０に記載の印刷物編集方法において、前記コンテンツ識別子情報が、発行毎に付与される掲載ナンバーであることを特徴とするものである。
【００２４】
請求項１２記載の発明は、上記課題を解決するため、請求項９〜請求項１１のいずれか１項に記載の印刷物編集方法において、印刷物に優先して掲載する優先掲載コンテンツを記憶する優先掲載コンテンツ管理記憶ステップを有し、前記掲載可能コンテンツ情報作成ステップが、前記優先掲載コンテンツを前記掲載可能コンテンツ情報に付加することを特徴とするものである。
【００２５】
請求項１３記載の発明は、上記課題を解決するため、請求項９〜請求項１２のいずれか１項に記載の印刷物編集方法において、前記コンテンツ情報が有効期限を有していることを特徴とするものである。
【００２６】
請求項１４記載の発明は、上記課題を解決するため、請求項９〜請求項１３のいずれか１項に記載の印刷物編集方法において、前記印刷物作成ステップが、印刷物が設置される印刷物設置位置情報を印刷物に掲載し、利用者の利用者端末から前記印刷物特定情報、前記コンテンツ識別子情報および前記印刷物設置位置情報が入力されることによるコンテンツサイトへのアクセス要求を受信する受信ステップと、前記受信ステップが受信したアクセス要求を利用者アクセス情報として記憶するアクセス情報記憶ステップと、を有することを特徴とするものである。
【００２７】
請求項１５記載の発明は、上記課題を解決するため、請求項１４に記載の印刷物編集方法において、前記印刷物作成ステップが、前記印刷物特定情報と、前記印刷物設置位置情報と、を二次元コードもしくはＩＣタグにて表わし、印刷物に掲載するとともに、前記情報変換ステップは、前記二次元コードもしくはＩＣタグと、前記コンテンツ識別子情報と、をサイト指定情報に変換することを特徴とするものである。
【００２８】
請求項１６記載の発明は、上記課題を解決するため、請求項１５に記載の印刷物編集方法において、前記印刷物作成手段が、前記二次元コードもしくはＩＣタグをシールとして印刷することを特徴とするものである。
【００２９】
請求項１７記載の発明は、上記課題を解決するため、コンテンツを提供するコンテンツサイトのコンピュータネットワーク上の存在位置を示すサイト指定情報及び前記コンテンツの内容を示すコンテンツ情報と、を記憶するコンテンツ管理情報記憶ステップと、前記コンテンツ管理情報記憶ステップに記憶されたコンテンツ情報と、該コンテンツ情報のサイト指定情報と、印刷物毎に付与される印刷物特定情報とから掲載可能コンテンツ情報を作成する掲載可能コンテンツ情報作成ステップと、前記掲載可能コンテンツ情報のうち、印刷物に掲載するコンテンツを選択した、掲載コンテンツ情報を作成する掲載コンテンツ情報作成ステップと、前記コンテンツに対し、印刷物の発行毎に付与されるコンテンツ識別子を決定しコンテンツ識別子情報を作成するコンテンツ識別子情報作成ステップと、前記印刷物特定情報と、前記コンテンツ識別子情報とを、前記サイト指定情報に変換する情報変換ステップと、前記掲載コンテンツ情報と、前記コンテンツ識別子情報とに基いて、掲載コンテンツリストを作成する掲載コンテンツリスト作成ステップと、前記掲載コンテンツリストに基いて、前記コンテンツが有するコンテンツ情報と、印刷物特定情報と、コンテンツ識別子情報とを掲載した印刷物を作成する印刷物作成ステップと、を有することを特徴とするものである。
【００３０】
請求項１８記載の発明は、上記課題を解決するため、請求項１７記載の印刷物編集プログラムにおいて、前記印刷物特定情報が、印刷物名及び発行号数であることを特徴とするものである。
【００３１】
請求項１９記載の発明は、上記課題を解決するため、請求項１７または請求項１８に記載の印刷物編集プログラムにおいて、前記コンテンツ識別子情報が、発行毎に付与される掲載ナンバーであることを特徴とするものである。
【００３２】
請求項２０記載の発明は、上記課題を解決するため、請求項１７〜請求項１９のいずれか１項に記載の印刷物編集プログラムにおいて、印刷物に優先して掲載する優先掲載コンテンツを記憶する優先掲載コンテンツ管理記憶ステップを有し、
【００３３】
前記掲載可能コンテンツ情報作成ステップが、前記優先掲載コンテンツを前記掲載可能コンテンツ情報に付加することを特徴とするものである。
【００３４】
請求項２１記載の発明は、上記課題を解決するため、請求項１７〜請求項２０のいずれか１項に記載の印刷物編集プログラムにおいて、前記コンテンツ情報が有効期限を有していることを特徴とするものである。
【００３５】
請求項２２記載の発明は、上記課題を解決するため、請求項１７〜請求項２１のいずれか１項に記載の印刷物編集プログラムにおいて、前記印刷物作成ステップが、印刷物が設置される印刷物設置位置情報を印刷物に掲載し、利用者の利用者端末から前記印刷物特定情報、前記コンテンツ識別子情報および前記印刷物設置位置情報が入力されることによるコンテンツサイトへのアクセス要求を受信する受信ステップと、前記受信ステップが受信したアクセス要求を利用者アクセス情報として記憶するアクセス情報記憶ステップと、を有することを特徴とするものである。
【００３６】
請求項２３記載の発明は、上記課題を解決するため、請求項２２に記載の印刷物編集プログラムにおいて、前記印刷物作成ステップが、前記印刷物特定情報と、前記印刷物設置位置情報と、を二次元コードもしくはＩＣタグにて表わし、印刷物に掲載するとともに、前記情報変換ステップは、前記二次元コードもしくはＩＣタグと、前記コンテンツ識別子情報と、をサイト指定情報に変換することを特徴とするものである。
【００３７】
請求項２４記載の発明は、上記課題を解決するため、請求項２３に記載の印刷物編集プログラムにおいて、前記印刷物作成手段が、前記二次元コードもしくはＩＣタグをシールとして印刷することを特徴とするものである。
【００３８】
【発明の実施の形態】
以下、本発明の実施の形態について、添付図面を参照しつつ説明する。
【００３９】
本発明の第１の実施の形態における印刷物編集システムを図１に示す。なお、本実施例において、印刷物とは不動産等の物件情報誌を指すものとする。図１に示すように、印刷物編集システムは、印刷物編集サーバ１０００を備えている。
【００４０】
印刷物編集サーバ１０００は、印刷物１００を出力、または、印刷情報を出力して印刷所に回すとともに、情報サービス送受信機能を搭載した携帯電話（ブラウザフォン等）２００、パソコン、ＰＤＡ等の利用者端末と情報の送受信を行うものである。
【００４１】
また、印刷物編集サーバ１０００は、サーバ記憶部１１００、サーバ出力部１２００、サーバ制御部１３００、サーバ操作部１４００およびサーバ送受信部１５００を備えている。
【００４２】
サーバ記憶部１１００は、ハードディスクなどの記憶装置で、コンテンツを提供するコンテンツサイトのＵＲＬを示すサイト指定情報、コンテンツの内容を示すコンテンツ情報などのコンテンツ管理情報、コンテンツサイトにリンクさせるためのリンクサイト情報、コンテンツおよびコンテンツサイトの情報であるコンテンツ情報などを記憶するものである。
【００４３】
なお、便宜上、各情報を記憶したデータベース（ＤＢ）として、コンテンツ管理情報を記憶した管理情報ＤＢ１１１０、リンクサイト情報を記憶したリンクサイトＤＢ１１２０、コンテンツ情報を記憶したコンテンツ情報ＤＢ１１３０、最終的に印刷物に掲載する掲載コンテンツリストＤＢ１１４０を有するものとする。リンクサイト情報ＤＢ１１２０には、指定されたコンテンツサイトにリンクさせるためのリンクページサイトの情報も記憶し、コンテンツ情報ＤＢ１１３０には、コンテンツそのもの（実コンテンツ）およびコンテンツを提供するコンテンツサイトの情報も記憶する。
【００４４】
サーバ出力部１２００は、プリンタなどの出力装置で、印刷情報を実際に印刷物１００として提供するため、印刷物編集サーバ１０００から出力するものである。なお、印刷物１００を印刷所などで印刷する場合には、印刷情報の製版が完了したデータを出力する外部記憶デバイスや印刷所とのオンライン出力部となる。
【００４５】
サーバ制御部１３００は、管理情報ＤＢ１１１０に記憶されたコンテンツ情報と、該コンテンツ情報のサイト指定情報と、印刷物毎に付与される雑誌名、刊行号などの印刷物特定情報とから掲載可能なコンテンツ情報を作成する掲載可能コンテンツ情報作成部１３１０、上記掲載可能コンテンツ情報のうち、印刷物に掲載するコンテンツを選択した、掲載コンテンツ情報を作成する掲載コンテンツ情報作成部１３２０、該選択されたコンテンツに対し、印刷物の発行毎に付与される３桁〜４桁からなる掲載ナンバー等のコンテンツ識別子を決定し、コンテンツ識別子情報を作成するコンテンツ識別子情報作成部１３３０、上記印刷物特定情報と、上記コンテンツ識別子情報とを、上記サイト指定情報に変換する情報変換部１３４０、上記掲載コンテンツ情報と、上記コンテンツ識別子情報とに基いて、掲載コンテンツリストを作成する掲載コンテンツリスト作成部１３５０、上記掲載コンテンツリストに基いて、上記コンテンツが有するコンテンツ情報と、印刷物特定情報と、コンテンツ識別子情報とを掲載した印刷物を作成する印刷物作成部１３６０を有するものとする。なおサーバ制御部１３００は、ＣＰＵなどで、上記のほか、印刷物編集サーバ１０００全体を制御するものである。
【００４６】
サーバ操作部１４００は、キーボードなどで、編集者が印刷物編集サーバ１０００を操作するためのものである。
【００４７】
サーバ送受信部１５００は、利用者が使用する携帯電話２００等の利用者端末との送受信を行うものである。またネットワークに接続して、他のサーバとの送受信も行う。また、サーバ送受信部１５００が、上記印刷所とのオンライン出力部を兼ねても良い。
【００４８】
次に図２〜７を用いて本実施の形態における印刷物編集システムの編集処理手順について説明する。
【００４９】
本印刷物編集システムでは、印刷物編集サーバ１０００のサーバ記憶部１１００に、紙面コンテンツとウェブコンテンツを生成するための共用データベースとして、管理情報ＤＢ１１１０、コンテンツ情報ＤＢ１１３０が作成され、この管理情報ＤＢ１１１０に対しては、雑誌への物件情報の掲載を所望するコンテンツの内容を示すコンテンツ情報および該コンテンツ情報のコンピュータネットワーク上の存在位置であるＵＲＬ（Ｕｎｉｆｏｒｍ  Ｒｅｓｏｕｒｃｅ  Ｌｏｃａｔｏｒ）を示すサイト指定情報が蓄積され、コンテンツ情報ＤＢ１１３０に対しては、コンテンツそのもの（実コンテンツ）が記憶されている。
【００５０】
ここで、サーバ操作部１４００より印刷物の編集プログラムが実行されると（ステップ１０）、サーバ制御部１３００内、掲載可能コンテンツ情報作成部１３１０が、コンテンツ管理情報ＤＢ１１１０に記憶されたコンテンツ情報およびサイト指定情報と、印刷物毎に付与される印刷物特定情報である印刷物名（本実施例においてはＭＧ情報誌とする）と発行号数（本実施例においては、６６６号とする）とから現在印刷物に掲載可能なコンテンツを抽出し、掲載可能コンテンツ情報を作成する（ステップ１１）、なお、掲載可能コンテンツ情報の画面表示例を図３に示す。図３に示すように、掲載可能コンテンツ情報には、印刷物名であるＭＧ情報誌および発行号数である６６６号なる情報が印刷物特定情報として記載されており、その他に不動産名および物件名がコンテンツ情報、またＵＲＬがサイト指定情報として物件毎に表に記されている。また、掲載するか否かのチェックボックスが物件毎に設けられているがこの時点ではすべて空欄である。
【００５１】
掲載可能コンテンツ情報が作成されると、該掲載可能コンテンツ情報のうち実際に印刷物に掲載するコンテンツを選択した、掲載コンテンツ情報を掲載コンテンツ情報作成部１３２０にて作成する（ステップ１２）。なお、掲載コンテンツ情報の画面表示例を図４に示す。図４に示すように、上記チェックボックスにチェックをいれる、若しくはチェックをいれないことで実際の印刷物に掲載するか否かが選択される。図４においては、Ａ会社のａ物件、Ｃ会社のｃ物件およびＤ会社のｄ物件にチェックがいれられているのでこれらの物件は掲載するということとなる。なお、掲載するか否かの選択は、過去の掲載回数を参照して決定したり、ランダムに決定してもよく、当然サーバ操作部１４００より任意に決定しても良い。
【００５２】
実際に掲載する物件が選択されると、コンテンツ識別子情報作成部１３３０において、掲載することが選択されたコンテンツに対し印刷物における掲載ナンバーであるコンテンツ識別子を決定し、コンテンツ識別子情報を作成する（ステップ１３）。なお、コンテンツ識別子情報の画面表示例を図５に示す。図５に示すように、画面左の表には、掲載することが決定された不動産名および物件名のみが表として記されており、画面右の表には３桁よりなる掲載ナンバーおよび該掲載ナンバーに該当する該当物件が表として記されている。なお、該当物件の欄は最初空欄となっており、この掲載ナンバーの決定にあっては、サーバ操作部１４００を用いて、左の表より不動産名および物件名の枠から所望する掲載ナンバーに該当する該当物件の枠へドラッグ＆ドロップを行うことにより、掲載ナンバーを決定する。なお、その他不動産名の名前順、物件の種類、印刷物への掲載頻度等の情報用いてランダムに決定されるようにしても良い。
【００５３】
次に、掲載コンテンツ情報と、コンテンツ識別子情報とに基いて、掲載コンテンツリスト作成部１３５０において掲載コンテンツリストを作成する（ステップ１４）。なお、掲載コンテンツリストの画面表示例を図６に示す。図６に示すように、掲載コンテンツリストは、雑誌名、刊行号数、掲載ナンバー、ＵＲＬ、有効期限が記載されている。また、図６においては、有効期限の終期がそれぞればらばらなものとなっているが、刊行号数により一定のものとしてもよく、次の刊行号の刊行日を有効期限の終期などとしておけば、同様の物件であっても刊行号ごとに新しい情報を需要者に対して提供することができる。そして、有効期限の終期を過ぎた情報に対して、利用者よりアクセスがあったときは、有効期限が過ぎた旨をメールにて通知するようになっている。
【００５４】
なお作成された掲載コンテンツリストは、掲載コンテンツリストＤＢ１１４０に記憶させるとよい。そうすることで、掲載した内容を後々参照等することができる。
【００５５】
掲載コンテンツリストが作成されると、該掲載コンテンツリストに基いて、コンテンツが有するコンテンツ情報と、印刷物特定情報と、コンテンツ識別子情報とを掲載した印刷物を印刷物作成部１３６０において作成し（ステップ１５）、印刷物の編集を終了する。
【００５６】
ここで、印刷物上の掲載例を図７に示す。図７に示すように、編集され印刷された印刷物１００は表紙に印刷物名である雑誌名および刊行号数が記載され、該印刷物１００の内部には、掲載ナンバー、不動産名、物件名、間取りその他備考などが記載される。該内容から、需要者が実際に所望する情報をネットワークを介して得ようとするときは、図８に示すような、リンクサイトページから雑誌名、刊行号数および３桁〜４桁からなる掲載ナンバーを入力する。該入力された情報は情報変換部１３４０にてサイト指定情報であるＵＲＬに変換され、該ＵＲＬを有するコンテンツサイトを提供することで、利用者は所望の情報を得ることができる。なお、本実施形態においては、コンテンツ識別子情報である掲載ナンバーは、数字のみにて構成されているが、これに限られることなく、英字等を用いて任意の識別子とすることも可能である。
【００５７】
次に本発明の第２の実施の形態における印刷物編集システムを図９に示す。
【００５８】
なお、第１の実施の形態と同様の構成については、説明を省略することとする。
【００５９】
図９に示すように、本発明の第３の実施の形態の印刷物編集システムは、印刷物編集サーバ１０００を備えており、印刷物編集サーバ１０００は、サーバ記憶部１１００、サーバ出力部１２００、サーバ制御部１３００、サーバ操作部１４００およびサーバ送受信部１５００を備えている。
【００６０】
サーバ記憶部１１００は、コンテンツ管理情報を記憶した管理情報ＤＢ１１１０、リンクサイトＤＢ１１２０、コンテンツ情報ＤＢ１１３０、掲載コンテンツリストＤＢ１１４０、優先掲載コンテンツＤＢ１１５０を有するものとする。優先掲載コンテンツＤＢ１１５０には、印刷物に対して優先的に掲載することを所望するコンテンツが記憶されている。
【００６１】
また、サーバ制御部１３００は、掲載可能コンテンツ情報作成部１３１０、掲載コンテンツ情報作成部１３２０、コンテンツ識別子情報作成部１３３０、情報変換部１３４０、掲載コンテンツリスト作成部１３５０、印刷物作成部１３６０を有している。
【００６２】
次に図１０〜１２を用いて本実施の形態における印刷物編集システムの編集処理手順について説明する。
【００６３】
なお、本発明の第１の実施の形態と同様の処理においては、説明を省略することとする。
【００６４】
本実施形態においては、印刷物編集サーバ１０００のサーバ記憶部１１００に、管理情報ＤＢ１１１０、コンテンツ情報ＤＢ１１３０が作成されるとともに、優先掲載コンテンツＤＢ１１５０が作成され、該優先掲載コンテンツＤＢ１１５０には、印刷物に対して優先的に掲載することを所望するコンテンツが記憶されている。
【００６５】
ここで、サーバ操作部１４００より、印刷物の編集プログラムが実行されると（ステップ２０）、サーバ制御部１３００内、掲載可能コンテンツ情報作成部１３１０が、コンテンツ管理情報ＤＢ１１１０に記憶されたコンテンツ情報と、印刷物特定情報、および優先掲載コンテンツＤＢ１１５０に記憶された優先掲載コンテンツとから掲載可能コンテンツ情報を作成する（ステップ２１）、なお、掲載可能コンテンツ情報の画面表示例を図１１に示す。図１１に示すように、掲載可能コンテンツ情報には、印刷物名であるＭＧ情報誌および刊行号数である６６６号なる情報が印刷物特定情報として記載されており、その他に不動産名および物件名がコンテンツ情報、またＵＲＬがサイト指定情報として記載されるとともに、優先掲載物件であるか否かの情報が掲載されている。なお、図１１に示すように優先掲載物件であってもその重要度に応じて、３段階に分かれており、図１１においては、１のチェックボックスを最も重要度の高いものとして、２、３のチェックボックスと順番にチェックボックスが形成されている。なお、図１１においては、Ｃ会社のｃ物件の優先掲載物件に関するチェックボックスがチェックされているため、優先掲載物件であり、且つ優先掲載物件のなかでも、重要度の高い物件であることを認識することができる。また、掲載するか否かのチェックボックスが物件毎に設けられているがこの時点ではすべて空欄である。
【００６６】
掲載可能コンテンツ情報が作成されると、該掲載可能コンテンツ情報のうち実際に印刷物に掲載するコンテンツを選択した、掲載コンテンツ情報を掲載コンテンツ情報作成部１３２０にて作成する（ステップ２２）。なお、掲載コンテンツ情報の画面表示例を図１２に示す。図１２に示すように、上記チェックボックスにチェックをいれる、若しくはチェックをいれないことで実際の印刷物に掲載するか否かが選択される。図１２においては、Ｃ会社のｃ物件の優先掲載物件に関するチェックボックスがチェックされているため、これは必ず掲載するよう掲載物件チェックボックスにチェックが入れられており、その他Ａ会社のａ物件、Ｄ会社のｄ物件にチェックがいれられているのでこれらの物件もまた掲載するということとなる。なお、掲載するか否かの選択は、過去の掲載回数を参照して決定したり、ランダムに決定してもよく、当然サーバ操作部１４００より任意に決定しても良い。
【００６７】
実際に掲載する物件が選択されると、コンテンツ識別子情報作成部１３３０において、掲載することが選択されたコンテンツに対し印刷物における掲載ナンバーであるコンテンツ識別子を決定し、コンテンツ識別子情報を作成する（ステップ２３）。なお、コンテンツ識別子情報の画面表示例は第１の実施の形態と同様であるため、説明を省略するが、その決定にあっては、まず優先掲載物件に対し覚えやすいナンバー等を付した上で通常の物件を空いている掲載ナンバーに決定していくこととする。
【００６８】
次に、掲載コンテンツ情報と、コンテンツ識別子情報とに基いて、掲載コンテンツリスト作成部１３５０において掲載コンテンツリストを作成する（ステップ２４）。
【００６９】
掲載コンテンツリストが作成されると、該掲載コンテンツリストに基いて、コンテンツが有するコンテンツ情報と、印刷物特定情報と、コンテンツ識別子情報とを掲載した印刷物を印刷物作成部１３６０において作成し（ステップ２５）、印刷物の編集を終了する。
【００７０】
次に本発明の第３の実施の形態における印刷物編集システムを図１３に示す。
【００７１】
なお、第１及び第２の実施の形態と同様の構成については、説明を省略することとする。
【００７２】
図１３に示すように、本発明の第２の実施の形態の印刷物編集システムは、印刷物編集サーバ１０００を備えており、印刷物編集サーバ１０００は、サーバ記憶部１１００、サーバ出力部１２００、サーバ制御部１３００、サーバ操作部１４００およびサーバ送受信部１５００を備えている。
【００７３】
サーバ記憶部１１００は、コンテンツ管理情報を記憶した管理情報ＤＢ１１１０、リンクサイトＤＢ１１２０、コンテンツ情報ＤＢ１１３０、掲載コンテンツリストＤＢ１１４０、優先掲載コンテンツＤＢ１１５０、利用者アクセス情報ＤＢ１１６０を有するものとする。利用者アクセス情報ＤＢ１１６０は、利用者が雑誌に掲載された物件の情報を得ようとするときリンクサイトページにて入力する情報を利用者アクセス情報として記憶するものである。
【００７４】
また、サーバ制御部１３００は、掲載可能コンテンツ情報作成部１３１０、掲載コンテンツ情報作成部１３２０、コンテンツ識別子情報作成部１３３０、情報変換部１３４０、掲載コンテンツリスト作成部１３５０、印刷物作成部１３６０を有している。
【００７５】
なお、本実施の形態における印刷物編集システムの編集処理手順に関しては、第２の実施の形態と同様のものであるため、説明を省略することとし、本実施形態の特徴的な処理に関してのみ説明することとする。
【００７６】
本実施の形態においては、印刷物作成部１３６０が、印刷物１００を作成する際、印刷物が設置される店舗等を示す印刷物設置位置情報を英数字等を用いた記号にて、印刷物に掲載するようになっている。
【００７７】
そして、利用者が所望する情報を得ようとするときは、図１４に示すようなリンクサイトページから雑誌名、刊行号数、掲載ナンバーおよび印刷物設置位置情報を入力させ、上記情報が入力されたアクセス要求を送受信部１５００が受けたときアクセスログをとり、そのアクセス要求のため入力された情報を利用者アクセス情報として利用者アクセス情報ＤＢ１１６０に記憶させるようになっている。この構成を有することにより、どこの店舗もしくは地域にて買った印刷物を見て利用者がアクセスしてきたのかを把握することができることとなる。
【００７８】
利用者アクセス情報ＤＢ１１６０は、雑誌名毎にフォルダ分けするとともに、さらに刊行号数、印刷物設置位置情報、掲載ナンバーの順に階層化し、該フォルダに利用者アクセス情報を記憶させるようにすることで、印刷物を設置した印刷物設置位置による広告効果のみならず、掲載ナンバーによる広告効果の測定等さまざまな観点から広告効果の測定をすることができ、掲載ナンバー毎の広告料金の設定等を行なう際にも有用な情報とすることができる。
【００７９】
なお、利用者アクセス情報ＤＢ１１６０は、内部にて雑誌名毎にフォルダ分けするのではなく、雑誌名毎にデータベースを実装することで、管理をよりわかりやすく容易にしてもよい。
【００８０】
また、利用者が情報を得ようとするとき利用する利用者携帯端末が、カメラ機能付き携帯端末で、バーコード読取り機能を有するような場合は、図１５に示すように雑誌名、刊行号数および印刷物設置位置情報に関しては、印刷物にその情報を二次元バーコード化して掲載しておき、需要者が利用者携帯端末を用いて該情報を読取り情報を送信することで、需要者は３桁〜４桁からなる掲載ナンバーのみをリンクサイトページから入力するだけで、所望する情報に対してアクセスすることができるとともに、雑誌社は広告効果の測定を行うことができる。
【００８１】
なお、本実施形態においては、印刷物特定情報および印刷物設置位置情報を二次元バーコードにて表し、利用することとしたがこれに限られることなく、ＩＣタグや、英数字等のコードにて表し、雑誌に掲載するようにしても良い。
【００８２】
また、二次元バーコードおよびＩＣタグはシールにて表すことで、情報を得ようとするたびに、雑誌を持ち歩かなくとも雑誌に添付されたシールを剥がして二次元バーコードおよびＩＣタグの読取りをおこなうことができ、利用者にとってはよりアクセスに対し有用なものとなる。
【００８３】
なお、第１〜第３の実施の形態においては、不動産物件に関する情報誌につき説明したが、これに限られることなく、通信販売のカタログ、映画予告案内等、各種情報誌に使用することができる。
【００８４】
【発明の効果】
本発明によれば、コンテンツを提供するコンテンツサイトのコンピュータネットワーク上の存在位置を示すサイト指定情報及び前記コンテンツの内容を示すコンテンツ情報と、を記憶するコンテンツ管理情報記憶手段と、前記コンテンツ管理情報記憶手段に記憶されたコンテンツ情報と、該コンテンツ情報のサイト指定情報と、印刷物毎に付与される印刷物特定情報とから掲載可能コンテンツ情報を作成する掲載可能コンテンツ情報作成手段と、前記掲載可能コンテンツ情報のうち、印刷物に掲載するコンテンツを選択した、掲載コンテンツ情報を作成する掲載コンテンツ情報作成手段と、前記コンテンツに対し、印刷物の発行毎に付与されるコンテンツ識別子を決定しコンテンツ識別子情報を作成するコンテンツ識別子情報作成手段と、前記印刷物特定情報と、前記コンテンツ識別子情報とを、前記サイト指定情報に変換する情報変換手段と、前記掲載コンテンツ情報と、前記コンテンツ識別子情報とに基いて、掲載コンテンツリストを作成する掲載コンテンツリスト作成手段と、前記掲載コンテンツリストに基いて、前記コンテンツが有するコンテンツ情報と、印刷物特定情報と、コンテンツ識別子情報とを掲載した印刷物を作成する印刷物作成手段と、を備え、印刷物毎に付与される印刷物特定情報とともに、該発行号数毎に付与するコンテンツ識別子情報を用いて印刷物を発行することで、掲載する情報に対し刊行号毎に情報を識別する体系をとることができるとともに、情報毎に与えられる識別情報付与の自由度を持たせることができ、あわせて刊行号毎の識別情報に価値を持たせることができる。
【００８５】
また、本発明によれば、前記印刷物特定情報が、印刷物名及び発行号数であるため、刊行号毎の情報に対する識別情報により価値を持たせることができる。
【００８６】
また、本発明によれば、前記コンテンツ識別子情報が、発行毎に付与される掲載ナンバーであるため、需要者にとっては、利用者携帯端末より３桁〜４桁からなる番号を入力することで、容易に所望の情報にアクセスすることができる。また、印刷物名および発行号数に加え掲載ナンバーを用いて情報を特定することにより、情報毎に固有の番号を付すことができるので、番号を永続的に保有することなく、情報の更新等も自由にすることができる。
【００８７】
また、本発明によれば、印刷物に優先して掲載する優先掲載コンテンツを記憶する優先掲載コンテンツ管理記憶手段を有し、前記掲載可能コンテンツ情報作成手段が、前記優先掲載コンテンツを前記掲載可能コンテンツ情報に付加するものであるため、優先的に印刷物に掲載したい情報、例えば、今月の目玉物件等の情報の掲載位置を需要者にわかりやすい位置にする、もしくは掲載ナンバーを覚えやすいものにする等、優先的に掲載したい重要な情報への需要者からのアクセスをより容易にすることで、情報の頒布性を高めることができる。
【００８８】
また、本発明によれば、前記コンテンツ情報が有効期限を有しているため、印刷物に掲載する情報に対して一定期間における情報の価値をもたせることができ、例えば、週刊誌や月刊誌等においては、次の刊行号の刊行までを有効期限と設定することにより、新たに更新された情報および新しく加わる情報を刊行号毎に需要者に対し提供することができる。
【００８９】
また、本発明によれば、前記印刷物作成手段が、印刷物が設置される印刷物設置位置情報を印刷物に掲載し、利用者の利用者端末から前記印刷物特定情報、前記コンテンツ識別子情報および前記印刷物設置位置情報が入力されることによるコンテンツサイトへのアクセス要求を受信する受信手段と、前記受信手段が受信したアクセス要求を利用者アクセス情報として記憶するアクセス情報記憶手段と、を有するため、利用者が所望する情報に対し利用者携帯端末を用いてアクセスするときのアクセス要求の内容をもとに広告効果の測定をすることができる。また、アクセス要求の内容をもとに広告料金の設定や、印刷物発行会社および印刷物設置店舗における利益配分の設定に際する有用な情報とすることができる。
【００９０】
また、前記印刷物作成手段が、前記印刷物特定情報と、前記印刷物設置位置情報と、を二次元コードもしくはＩＣタグにて表わし、印刷物に掲載するとともに、前記情報変換手段は、前記二次元コードもしくはＩＣタグと、前記コンテンツ識別子情報と、をサイト指定情報に変換するようになっているため、利用者が所望する情報に対し利用者携帯端末を用いてアクセスしようとするときも、印刷物特定情報および印刷物設置位置情報に関しては二次元コードもしくはＩＣタグにて入力されるため、需要者は利用者携帯端末よりコンテンツ識別子情報を入力するのみで、容易に所望する情報に対しアクセスすることができる。また、利用者が所望する情報に対し利用者携帯端末を用いてアクセスするときのアクセス要求の内容をもとに広告効果の測定をすることができるとともに、広告料金の設定や、印刷物発行会社および印刷物設置店舗における利益配分の設定を行なう際に有用な情報とすることができる。
【００９１】
また、前記印刷物作成手段が、前記二次元コードもしくはＩＣタグをシールとして印刷するようになっているため、利用者が情報を得ようとするたびに、雑誌を持ち歩かなくとも雑誌に添付されたシールを剥がして二次元バーコードおよびＩＣタグの読取りをおこなうことができ、利用者にとってはよりアクセスに対し有用なものとなる。
【図面の簡単な説明】
【図１】本発明に係る印刷物編集システムの一実施形態を示すブロック図である。
【図２】一実施形態の印刷物編集処理を示すフローチャートである。
【図３】一実施形態の掲載可能コンテンツ情報の内容を示す図である。
【図４】一実施形態の掲載コンテンツ情報の内容を示す図である。
【図５】一実施形態のコンテンツ識別子情報の内容を示す図である。
【図６】一実施形態の掲載コンテンツリストの内容を示す図である。
【図７】一実施形態の印刷物の掲載内容を示す図である。
【図８】一実施形態のリンクサイトページのページ表示例を示す図である。
【図９】一実施形態の印刷物編集システムを示すブロック図である。
【図１０】一実施形態の印刷物編集処理を示すフローチャートである。
【図１１】一実施形態の掲載可能コンテンツ情報の内容を示す図である。
【図１２】一実施形態の掲載コンテンツ情報の内容を示す図である。
【図１３】一実施形態の印刷物編集システムを示すブロック図である。
【図１４】一実施形態のリンクサイトページの表示例を示す図である。
【図１５】一実施形態の二次元コード読取り例を示す図である。
【符号の説明】
１００  印刷物
１０００  印刷物編集サーバ
１１００  サーバ記憶部
１１１０  管理情報ＤＢ
１１２０  リンクサイト情報ＤＢ
１１３０  コンテンツ情報ＤＢ
１１４０  掲載コンテンツリストＤＢ
１１５０  優先掲載コンテンツＤＢ
１２００  出力部
１３００  サーバ制御部
１３１０  掲載可能コンテンツ情報作成部
１３２０  掲載コンテンツ情報作成部
１３３０  コンテンツ識別子情報作成部
１３４０  情報変換部
１３５０  掲載コンテンツリスト作成部
１３６０  印刷物作成部
１４００  操作部
１５００  送受信部
【図１】
2004234314.tif 000003
【図２】
2004234314.tif 000004
【図３】
2004234314.tif 000005
【図４】
2004234314.tif 000006
【図５】
2004234314.tif 000007
【図６】
2004234314.tif 000008
【図７】
2004234314.tif 000009
【図８】
2004234314.tif 000010
【図９】
2004234314.tif 000011
【図１０】
2004234314.tif 000012
【図１１】
2004234314.tif 000013
【図１２】
2004234314.tif 000014
【図１３】
2004234314.tif 000015
【図１４】
2004234314.tif 000016
【図１５】
2004234314.tif 000017